(57)【要約】【課題】簡易に組立して設置できる陳列用具とそのブランク板を提供する。【解決手段】本発明の陳列用具１は、長方形状の背面基板３と、該背面基板３の前面に長さ方向に整列する複数の陳列品収納部４を設けた陳列用具であって、一の陳列品収納部４を正面視した場合は、略円弧状に中央部が垂下する前面板口縁４１ｅと略円弧状に中央部が盛り上がる収納部底面を有するようにされていることを特徴とする。本発明のブランク板１Ｂは、長方形状の背面基板３Ｂに対して、背面基板の下端から間隔を置いて、前面板と紡錘形状の底板からなる複数の陳列品収納部板材を背面基板３Ｂの長さ方向と直交する方向に突出させてなることを特徴とする。【選択図】図２
2017158730.tif 000002
【特許請求の範囲】
【請求項１】
長方形状の背面基板と、該背面基板の前面に長さ方向に所定の間隔をあけて整列する複数の陳列品収納部を設けた陳列用具であって、前記複数の陳列品収納部のうちの一の陳列品収納部を正面視した場合は、略円弧状に中央部が垂下する前面板口縁と略円弧状に中央部が盛り上がる収納部底面を有するようにされていることを特徴とする陳列用具。
【請求項２】
前記背面基板と陳列品収納部が同一の紙材料またはプラスチックとラミネートしたラミネート後の紙材料からなることを特徴とする請求項１記載の陳列用具。
【請求項３】
背面基板に長さ方向に折り畳み可能とする二つ折り用折り線を設けたことを特徴とする請求項１または請求項２記載の陳列用具。
【請求項４】
請求項１記載の陳列用具を形成するためのブランク板であって、長方形状の背面基板に対して、背面基板の下端から間隔を置いて、前面板と紡錘形状の底板からなる複数の陳列品収納部板材を背面基板の長さ方向と直交する方向に突出させてなることを特徴とするブランク板。
【請求項５】
前記陳列品収納部板材の背面基板接続側と反対側に糊代を有することを特徴とする請求項４記載のブランク板。
【請求項６】
前記背面基板と陳列品収納部が同一の紙材料またはプラスチックとラミネートしたラミネート後の紙材料からなることを特徴とする請求項４または請求項５記載のブランク板。
【請求項７】
背面基板に長さ方向に折り畳み可能とする二つ折り用折り線を設けたことを特徴とする請求項４ないし請求項６のいずれか一項記載のブランク板。
【発明の詳細な説明】
【技術分野】
【０００１】
本発明は、陳列用具とそれを形成するためのブランク板に関する。詳しくは、比較的に小さく薄厚軽量の商品等を簡易に陳列できる陳列用具と、当該陳列用具を容易に形成するためのブランク板に関するものである。
従来から、葉書や封書を保管するための状差しや書類入れを２〜３段の箱状形態にしたものが使用されている。しかし、これらの従来品は、木製であったり、布製であったりして製造するには手間のかかる特別な加工が必要であった。
また、プラスチック製トレイを枠体に固定する陳列用具も使用されている。しかし、このものは、複数個のトレイが折り畳みできないので搬送や保管に不便であり、組立構成するにも手間取り、枠体に取り付けたトレイが不安定である等の問題があった。
【背景技術】
【０００２】
近年、カード類やラベル、シール用紙、冊子等のように、薄厚であるが多品種の品揃えが必要な商品等の陳列や展示が増えてきている。
これらの商品等を従来のような箱状やプラスチック製の陳列用具に入れて陳列する場合は、陳列用具自体のコストが高額になるほか、陳列のためのスペースや頑丈な懸架構造を確保しなければならない問題がある。また、陳列の準備に手間取る、という問題も生じる。
【０００３】
（従来技術）特許文献１には、組立て容易な陳列台が記載されている。紙製であるが、台紙に折り畳み式の収納部を取り付けするもので、収納部の形態が本願とは相違している。特許文献２の自立型パッケージは、収納部の形態に本願と類似する部分があるが、陳列用具に関するものではない。特許文献３の商品陳列ハンガは一枚の台紙から組み立てするものであるが、収納部の形態が本願と相違している。特許文献４の吊下陳列体も収納部の形態が本願と相違している。
【先行技術文献】
【特許文献】
【０００４】
【特許文献１】特開２０００−１２６００８号公報
【特許文献２】特開２００２−２９３３１８号公報
【特許文献３】実用新案登録第３１５６６３８号公報
【特許文献４】実開昭６３−１４６８８０号公報
【発明の概要】
【発明が解決しようとする課題】
【０００５】
そこで、本発明は、狭い店内や店頭に設置でき、簡単に組み立てでき、軽量かつ搬送も容易であり、かつ容易に製作できる陳列用具を提供することを課題とする。
【課題を解決するための手段】
【０００６】
上記課題を解決するために、本発明の要旨の第１は、長方形状の背面基板と、該背面基板の前面に長さ方向に所定の間隔をあけて整列する複数の陳列品収納部を設けた陳列用具であって、前記複数の陳列品収納部のうちの一の陳列品収納部を正面視した場合は、略円弧状に中央部が垂下する前面板口縁と略円弧状に中央部が盛り上がる収納部底面を有するようにされていることを特徴とする。
【０００７】
上記の陳列用具において、前記背面基板と陳列品収納部が同一の紙材料またはプラスチックとラミネートしたラミネート後の紙材料からなるようにすることができ、背面基板に長さ方向に折り畳み可能とする二つ折り用折り線を設けたものとすることもできる。
【０００８】
上記課題を解決するために、本発明の要旨の第２は、要旨の第１に係る陳列用具を形成するためのブランク板であって、長方形状の背面基板に対して、背面基板の下端から間隔を置いて、前面板と紡錘形状の底板からなる複数の陳列品収納部板材を背面基板の長さ方向と直交する方向に突出させてなることを特徴とするブランク板、にある。
【０００９】
上記のブランク板において、前記陳列品収納部板材の背面基板と反対側に糊代を有するようにすることができ、前記背面基板と陳列品収納部が同一の紙材料またはプラスチックとラミネートしたラミネート後の紙材料からなるようにすることもでき、背面基板に長さ方向に折り畳み可能とする二つ折り用折り線を設けたものとすることもできる。
【発明の効果】
【００１０】
本発明の要旨の第１の発明に係る陳列用具によれば、薄厚で軽量の商品等を見易く陳列することができる。複数段の陳列品収納部を有するので、多種類の商品等の陳列に対応することができる。陳列用具の材質を紙材料やラミネート紙材料とすることで、陳列用具自体を軽量化でき、陳列用具を設置する構造物の機械的強度を低減でき、設置に多大なスペースを必要としないようにできる。
本発明の要旨の第２に係るブランク板によれば、上記陳列用具を比較的低コストで容易に製作することができる。
【図面の簡単な説明】
【００１１】
【図１】本発明の陳列用具を示す斜視図である。
【図２】本発明の陳列用具の正面図（Ａ）と側面図（Ｂ）である。
【図３】本発明の陳列用具の他の実施形態を示す正面図である。
【図４】本発明のブランク板を示す平面図である。
【発明を実施するための形態】
【００１２】
以下、本発明の実施形態について、図面を参照して詳細に説明する。
図１は、本発明の陳列用具を示す斜視図であって、やや上側から見た状態を示している。
図１の場合、陳列用具１は、長方形状の背面基板と、該背面基板の前面に長さ方向に整列するように所定の間隔をあけて複数の陳列品収納部が設けられている。具体的には、陳列用具１の陳列品収納部４は２段であり、下段の収納部にのみ、陳列品８が収納されている。陳列品収納部４は２段に限らず、５〜６段程度までにすることができる。陳列用具１は、必要により紐９等の吊り下げ材料により、適宜構造物に懸垂することができ、あるいは背面基板３の裏面に粘着剤を施し、壁面等に剥離可能に固定することもできる。
【００１３】
図２は、本発明の陳列用具の正面図（Ａ）と側面図（Ｂ）である。陳列品を収納しない状態を示している。
図２（Ａ）の正面図の場合、陳列用具１は、３段の陳列品収納部４を有している。各陳列品収納部４は同等の形状と大きさにされているが、請求項の記載から逸脱しない範囲で形状と大きさを変更できる。各陳列品収納部４間の間隔も任意に設定できる。
各陳列品収納部４は、正面視では前面板４１の上辺と下辺が内側に凹むいわゆる糸巻き形状であり、略円弧状に中央部が垂下する前面板口縁４１ｅと略円弧状に中央部が盛り上がる収納部底板４２を有している。前面板口縁４１ｅがこのように凹み形状であることにより、陳列品の内容が外部から観察し易くなる。ただし、前面板口縁４１ｅの凹みの度合いは任意に設定でき、僅かな凹み（１〜２ｍｍ程度）であっても良い。
【００１４】
図２（Ｂ）は、陳列用具の側面図である。各陳列品収納部４を側面視した場合は、背面板３から膨らんだ収納部を形成している。
上側から上面視した図は図示していないが、陳列品収納部４の前面板口縁４１ｅが背面基板３から略円弧状に外側に膨出する形状になる。陳列品収納部板材の収納部底板４２が紡錘形状にされており、口縁側もその形状に近似するからである。前面板４１は背面板３に重ねるので、理論的に両者は同幅であるが、前面板４１は背面基板３を内側にして糊付するので、僅かに（１〜２ｍｍ程度）広幅にしても良い。
【００１５】
図３は、本発明の陳列用具の他の実施形態を示す正面図である。
図２（Ａ）の場合と、同様に見えるが、二つ折り用折り線５を有する違いがある。
このように二つ折り用折り線５を設けることにより、ブランク板の状態で背面基板３の裏面側どうしが接するように折り畳み可能である。折り畳みすることにより、保管や輸送が便利になる。
【００１６】
次に、ブランク板について説明する。
本発明のブランク板は、１枚の紙材料を打ち抜きすることで、１台の陳列用具を組み立てすることができ、他の紙材料の構造物と組み合わせする必要が無い特徴がある。
図４は、本発明のブランク板を示す平面図である。陳列品収納部４が３段の場合の例を示しているが、３段に限定されないのは、前述のとおりである。図４中、１点鎖線で示した部分は折り線であり、実線は切断線である。二つ折り用折り線５を有する例を示している。
ブランク板１Ｂは、長方形状の背面基板３Ｂに対して背面基板３Ｂの下端から間隔を置いて、前面板４１ａ，４１ｂ，４１ｃと紡錘形状の収納部底板４２ａ，４２ｂ，４２ｃからなる陳列品収納部板材４ａ，４ｂ，４ｃを背面基板３Ｂの長さ方向と直交する方向に突出させた形状にされている。
【００１７】
背面基板３Ｂの幅Ｈ１に対して、陳列品収納部板材４ａ，４ｂ，４ｃの幅Ｈ２は、前記のように僅かに広幅にすることができる。収納部の口幅（背面板３と前面板口縁４１ｅ間の間隔）は、底板４２の幅Ｈ４と同等程度になる。
各底板４２は折り線５ａ，５ｂ，５ｃにより直角に立ち上げることにより、紡錘形の底面を形成する。底板４２の先端には差し込み片６ａ，６ｂ，６ｃが設けられていて、組み立ての際は、背面基板３Ｂの切り込み７ａ，７ｂ，７ｃに差し込みして固定する。
【００１８】
陳列品収納部板材４ａ，４ｂ，４ｃの先端（背面基板３Ｂの接続側とは反対側）には、糊代を形成する。糊代は両面テープを使い、背面基板３Ｂの裏面に接着するものでよい。保護用の剥離紙が片面に付いた状態の両面粘着テープを糊代部に貼着しておけばよい。
図４の場合、二つ折り用折り線５が、下から３段目の底板４２ｃの下面に沿って形成されている。二つ折り用折り線５を設ける場合は、ブランク板を折り畳んで大きさを小さくできるので、保管や輸送が便利になる。ただし、必ず設けなければならないものではない。
【００１９】
二つ折り用折り線５は、背面基板３Ｂの長さ方向のほぼ中央であれば良いが、何れかの収納部底板４２の折り線位置と接するようにするのが好ましい。前面板４１の中間等になると、前面板の変形を生じさせることになるからである。背面基板３Ｂの最上部近くには、紐通し穴９１を設けることができる。
【００２０】
ブランク板１Ｂの組み立ては、まず折り線５ａ，５ｂ，５ｃにより各底板を直角に立ち上げする。次に、その状態で、背面版３Ｂと陳列品収納部板材４ａ，４ｂ，４ｃが向き合うように折り線２ａ，２ｂ，２ｃを折り曲げする。差し込み片６ａ，６ｂ，６ｃを切り込み７ａ，７ｂ，７ｃに差し込みすると共に、糊代の剥離紙を剥離して背面板３Ｂの裏面に接着する。
なお、二つ折り用折り線５を設けてブランク板を折り畳むようにする場合は、陳列品収納部板材４ｃの糊代部を、他の陳列品収納部板材４ａ，４ｂの糊代部と切り離して独立した形態とすることが好ましい。他方、ブランク板を折り畳むことがない場合は、糊代部は帯状に連なっていてもよい。
ブランク板の材質には、板紙や段ボール、厚めの上質紙、ポリエチレンやポリプロピレン等のプラスチックと紙材とをラミネートしたラミネート紙等を使用できる。
なお、前記背面基板となるブランク板と、前記陳列品収納部となるブランク板とは材料が同一のものが好ましいが、異なる材料であってもよい。
【実施例】
【００２１】
ブランク板の材質として、両面にポリプロピレンをラミネートしたラミネート後の紙（王子マテリアル株式会社製「サンカード」３６０ｇ／ｍ２）を使用し、図４図示のブランク板を製作した。
背面板３Ｂの全長を５９０ｍｍ、幅Ｈ１を１４９ｍｍとし、背面板３Ｂの下端から二つ折り用折り線５までの長さＴ２を３３８．５ｍｍ、二つ折り用折り線５から背面板３Ｂの上端までの長さＴ１を２５１．５ｍｍとした。
前面板４１の幅Ｈ２を１５０ｍｍとし糊代部の幅Ｈ３を２５ｍｍとした。
【００２２】
このブランク板１Ｂを前記のように組み立てして、図２図示のような陳列用具１を完成した。
この陳列用具１に冊子を差し込んで陳列し、好適に使用することができた。
【符号の説明】
【００２３】
１：陳列用具
１Ｂ：ブランク板
２ａ，２ｂ，２ｃ：折り線
３，３Ｂ：背面基板
４：陳列品収納部
４ａ，４ｂ，４ｃ：陳列品収納部板材
４１，４１ａ，４１ｂ，４１ｃ：前面板
４１ｅ：前面板口縁
４２，４２ａ，４２ｂ，４２ｃ：底板
５：二つ折り用折り線
５ａ，５ｂ，５ｃ：折り線
６ａ，６ｂ，６ｃ：差し込み片
７ａ，７ｂ，７ｃ：切り込み
８：陳列品
９：紐
９１：紐通し穴
【図１】
2017158730.tif 000003
【図２】
2017158730.tif 000004
【図３】
2017158730.tif 000005
【図４】
2017158730.tif 000006